(57)【特許請求の範囲】
【請求項１】
ベースと、
前記ベースの下に配置された発光素子と、
前記ベースの上に配置された複数の放熱フィンと、
前記ベース及び前記複数の放熱フィンを冷却する気流を発生させる冷却ファンと、
前記発光素子を点灯させる光源駆動回路と、前記光源駆動回路を収納する電源筐体とを有する電源装置と、
前記電源装置を前記ベースに対して支持する電源サポートと、
前記ベース、前記発光素子、前記複数の放熱フィン、前記冷却ファン、前記電源装置、及び前記電源サポートを含む本体部に対して相対的に回転可能に連結され、前記本体部を支持する本体サポートと、
前記本体部に対して前記本体サポートが相対的に回転しないように固定可能な固定手段と、
を備え、
前記電源装置は、前記複数の放熱フィンの上に配置され、
前記冷却ファンは、前記電源装置の上に配置され、
ベース中心線は、前記ベースの中心を通り前記ベースに対して垂直な直線であり、
電源中心線は、前記電源筐体の中心を通り前記ベースに対して垂直な直線であり、
前記電源中心線は、前記ベース中心線に対して位置がずれており、
前記電源サポートは、前記ベースに連結された脚部を有し、
前記本体サポートは、前記電源サポートの前記脚部の外側に位置する腕部を有する
照明装置。
【請求項２】
ベースと、
前記ベースの下に配置された発光素子と、
前記ベースの上に配置された複数の放熱フィンと、
前記ベース及び前記複数の放熱フィンを冷却する気流を発生させる冷却ファンと、
前記発光素子を点灯させる光源駆動回路と、前記光源駆動回路を収納する電源筐体とを有する電源装置と、
前記電源装置を前記ベースに対して支持する電源サポートと、
前記ベース、前記発光素子、前記複数の放熱フィン、前記冷却ファン、前記電源装置、及び前記電源サポートを含む本体部に対して相対的に回転可能に連結され、前記本体部を支持する本体サポートと、
前記本体部に対して前記本体サポートが相対的に回転しないように固定可能な固定手段と、
を備え、
前記電源装置は、前記複数の放熱フィンの上に配置され、
前記冷却ファンは、前記電源装置の上に配置され、
ベース中心線は、前記ベースの中心を通り前記ベースに対して垂直な直線であり、
電源中心線は、前記電源筐体の中心を通り前記ベースに対して垂直な直線であり、
前記電源中心線は、前記ベース中心線に対して位置がずれており、
本体サポート回転軸は、前記本体部に対する前記本体サポートの回転軸であり、
前記ベースに対して垂直な方向から見たときに、前記ベースの中心と前記電源筐体の中心との間の、前記本体サポート回転軸に平行な方向についての距離が、前記電源筐体の中心と前記本体サポート回転軸との間の距離よりも長い
照明装置。
【請求項３】
ベースと、
前記ベースの下に配置された発光素子と、
前記ベースの上に配置された複数の放熱フィンと、
前記ベース及び前記複数の放熱フィンを冷却する気流を発生させる冷却ファンと、
前記発光素子を点灯させる光源駆動回路と、前記光源駆動回路を収納する電源筐体とを有する電源装置と、
を備え、
前記電源装置は、前記複数の放熱フィンの上に配置され、
前記冷却ファンは、前記電源装置の上に配置され、
ベース中心線は、前記ベースの中心を通り前記ベースに対して垂直な直線であり、
電源中心線は、前記電源筐体の中心を通り前記ベースに対して垂直な直線であり、
前記電源中心線は、前記ベース中心線に対して位置がずれており、
前記冷却ファンから下に向かって前記気流が吹き出され、
前記冷却ファンによる前記気流の一部は、前記電源筐体の上壁の外面に当たり、
前記ベース中心線に垂直な方向から見て、前記冷却ファンと前記電源筐体の前記上壁との間に、空気が通過可能な空間が形成されている
照明装置。
【請求項４】
前記ベース中心線は、前記電源筐体の外側を通る請求項１から請求項３のいずれか一項に記載の照明装置。
【請求項５】
前記ベースに対して垂直な方向から見たときに、前記電源筐体は、前記ベースの中心と前記電源筐体の中心とを結ぶ方向に対して垂直な方向を長手方向とする形状を有する請求項１から請求項４のいずれか一項に記載の照明装置。
【請求項６】
前記電源筐体は、第一側面を形成する第一側壁と、前記第一側面と反対側の第二側面を形成する第二側壁とを有し、
前記第一側壁と前記ベース中心線との距離は、前記第二側壁と前記ベース中心線との距離よりも小さく、
前記電源装置は、前記電源筐体の内部に配置された発熱する電気部品を備え、
前記電気部品は、前記第一側壁の内面に対して、直接または熱伝導性材料を介して接触している請求項１から請求項５のいずれか一項に記載の照明装置。
【請求項７】
前記電源筐体は、第一側面を形成する第一側壁と、前記第一側面と反対側の第二側面を形成する第二側壁とを有し、
前記第一側壁と前記ベース中心線との距離は、前記第二側壁と前記ベース中心線との距離よりも小さく、
前記電源装置は、前記電源筐体の前記第一側壁の外側に設置されたヒートシンクを備える請求項１から請求項６のいずれか一項に記載の照明装置。
【請求項８】
前記電源筐体は、上面を形成する上壁を有し、
前記電源装置は、前記電源筐体の内部に配置された発熱する電気部品を備え、
前記電気部品は、前記上壁の内面に対して、直接または熱伝導性材料を介して接触している請求項１から請求項７のいずれか一項に記載の照明装置。
【請求項９】
前記ベースに対して垂直な方向から見たときの前記冷却ファンの占有領域は、第一領域及び第二領域に分かれ、
前記第一領域は、前記ベースに対して垂直な方向から見たときに前記電源筐体と重なる領域であり、
前記第二領域は、前記ベースに対して垂直な方向から見たときに前記電源筐体と重ならない領域であり、
前記第二領域の面積は、前記第一領域の面積よりも大きい請求項１から請求項８のいずれか一項に記載の照明装置。
【請求項１０】
ベースと、
前記ベースの下に配置された発光素子と、
前記ベースの上に配置された複数の放熱フィンと、
前記複数の放熱フィンの上に配置され、前記ベース及び前記複数の放熱フィンを冷却する気流を発生させる冷却ファンと、
前記発光素子を点灯させる光源駆動回路と、前記光源駆動回路を収納する電源筐体とを有し、前記冷却ファンの上に位置する電源装置と、
前記電源装置を前記ベースに対して支持する電源サポートと、
を備え、
前記電源サポートは、前記ベースに連結された脚部と、前記脚部に支持されるとともに前記電源筐体に固定された梁部とを有し、
前記電源筐体は、前記電源筐体の内部と外部とを連通させる空気入口及び空気出口を有し、
前記梁部の長手方向に対して垂直な方向から見たときに、前記電源筐体は、前記梁部のエッジよりも外側へ突出する突出部を有し、
前記空気入口及び前記空気出口は、前記電源筐体の前記突出部に形成されている
照明装置。
【請求項１１】
前記冷却ファンを運転すると、前記空気入口及び前記空気出口を通って空気が前記電源筐体の内部を流れる請求項１０に記載の照明装置。
【請求項１２】
前記空気入口及び前記空気出口のそれぞれは、前記梁部の長手方向に沿って延びる細長い形状を有する請求項１０または請求項１１に記載の照明装置。
【請求項１３】
前記電源装置は、
前記電源筐体の内部に配置された発熱する電気部品と、
前記電源筐体の内部に配置され、前記電気部品に対して直接または熱伝導性材料を介して接触したヒートシンクと、
を備える請求項１０から請求項１２のいずれか一項に記載の照明装置。
【請求項１４】
前記ベース、前記発光素子、前記複数の放熱フィン、前記冷却ファン、前記電源装置、及び前記電源サポートを含む本体部に対して相対的に回転可能に連結され、前記本体部を支持する本体サポートと、
前記本体部に対して前記本体サポートが相対的に回転しないように固定可能な固定手段と、
を備え、
前記電源サポートは、前記ベースに連結された脚部を有し、
前記本体サポートは、前記電源サポートの前記脚部の外側に位置する腕部を有する請求項１０から請求項１３のいずれか一項に記載の照明装置。
【請求項１５】
前記ベースに対して垂直な方向から見たときに、前記複数の放熱フィンは、放射状に配置されている請求項１から請求項１４のいずれか一項に記載の照明装置。
【請求項１６】
前記ベースに対して垂直な方向から見たときに前記ベースの外縁の内側に前記電源筐体の全体が位置する請求項１から請求項１５のいずれか一項に記載の照明装置。
【請求項１７】
前記電源装置は、前記冷却ファンを駆動するファン駆動回路を備え、前記ファン駆動回路は前記電源筐体に収納されている請求項１から請求項１６のいずれか一項に記載の照明装置。
【請求項１８】
前記冷却ファンを駆動するファン駆動回路と、
前記発光素子の温度に相関する温度である光源温度を検出する光源温度検出手段と、
前記光源駆動回路及び前記ファン駆動回路を制御する制御手段と、
を備え、
前記制御手段は、前記発光素子の電流値である光源電流が一定となるように前記光源駆動回路を制御するとともに、前記光源温度が一定となるように前記冷却ファンの運転を制御する請求項１から請求項１７のいずれか一項に記載の照明装置。
【請求項１９】
前記発光素子の温度に相関する温度である光源温度を検出する光源温度検出手段と、
前記光源駆動回路を制御する制御手段と、
を備え、
前記制御手段は、前記光源温度が低いほど、前記発光素子の電流値である光源電流が低くなり、前記光源温度が高いほど、前記光源電流が高くなるように、前記光源駆動回路を制御する請求項１から請求項１７のいずれか一項に記載の照明装置。
【発明の詳細な説明】
【技術分野】
【０００１】
本発明は、照明装置に関する。
【背景技術】
【０００２】
発光ダイオード（ＬＥＤ）のような発光素子を用いた照明装置が広く用いられている。発光素子の発熱により発光素子の温度が高くなると、エネルギー効率が低下したり、発光素子の寿命が短くなったりする。そのため、発光素子の温度が高くならないように、発光素子の熱を散逸させる放熱性を良好にすることが望まれている。特に、工場、倉庫、体育館、競技施設などの、高い天井に設置される高天井用照明装置は、気温の高い環境に置かれるので、発光素子の冷却がより重要となる。【０００３】
下記特許文献１には、発光素子の熱を散逸させるヒートシンク（４０）と、冷却ファン（６０）と、電源装置（８０）とをハウジング（２０）の内部に備える照明装置において、ヒートシンク（４０）の上に冷却ファン（６０）を配置し、冷却ファン（６０）の上に電源装置（８０）を配置したものが開示されている。なお、括弧内は特許文献１における符号を示す。
【先行技術文献】
【特許文献】
【０００４】
【特許文献１】日本特開２０１４−２１２１３１号公報
【発明の概要】
【発明が解決しようとする課題】
【０００５】
上述した従来のシステムでは、以下のような課題がある。ヒートシンク（４０）と電源装置（８０）との間に冷却ファン（６０）が挟まれているので、冷却ファン（６０）により発生する気流の通気抵抗が大きい。このため、風量を大きくすることが困難で、冷却性能を向上しにくい。【０００６】
本発明は、上述のような課題を解決するためになされたもので、発光素子及び電源装置に対する冷却性能を良好にすることのできる照明装置を提供することを目的とする。
【課題を解決するための手段】
【０００７】
本発明の照明装置は、ベースと、ベースの下に配置された発光素子と、ベースの上に配置された複数の放熱フィンと、ベース及び複数の放熱フィンを冷却する気流を発生させる冷却ファンと、発光素子を点灯させる光源駆動回路と、光源駆動回路を収納する電源筐体とを有する電源装置と、電源装置をベースに対して支持する電源サポートと、ベース、発光素子、複数の放熱フィン、冷却ファン、電源装置、及び電源サポートを含む本体部に対して相対的に回転可能に連結され、本体部を支持する本体サポートと、本体部に対して本体サポートが相対的に回転しないように固定可能な固定手段と、を備え、電源装置は、複数の放熱フィンの上に配置され、冷却ファンは、電源装置の上に配置され、ベース中心線は、ベースの中心を通りベースに対して垂直な直線であり、電源中心線は、電源筐体の中心を通りベースに対して垂直な直線であり、電源中心線は、ベース中心線に対して位置がずれており、電源サポートは、ベースに連結された脚部を有し、本体サポートは、電源サポートの脚部の外側に位置する腕部を有するものである。
また、本発明の照明装置は、ベースと、ベースの下に配置された発光素子と、ベースの上に配置された複数の放熱フィンと、ベース及び複数の放熱フィンを冷却する気流を発生させる冷却ファンと、発光素子を点灯させる光源駆動回路と、光源駆動回路を収納する電源筐体とを有する電源装置と、電源装置をベースに対して支持する電源サポートと、ベース、発光素子、複数の放熱フィン、冷却ファン、電源装置、及び電源サポートを含む本体部に対して相対的に回転可能に連結され、本体部を支持する本体サポートと、本体部に対して本体サポートが相対的に回転しないように固定可能な固定手段と、を備え、電源装置は、複数の放熱フィンの上に配置され、冷却ファンは、電源装置の上に配置され、ベース中心線は、ベースの中心を通りベースに対して垂直な直線であり、電源中心線は、電源筐体の中心を通りベースに対して垂直な直線であり、電源中心線は、ベース中心線に対して位置がずれており、本体サポート回転軸は、本体部に対する本体サポートの回転軸であり、ベースに対して垂直な方向から見たときに、ベースの中心と電源筐体の中心との間の、本体サポート回転軸に平行な方向についての距離が、電源筐体の中心と本体サポート回転軸との間の距離よりも長いものである。
また、本発明の照明装置は、ベースと、ベースの下に配置された発光素子と、ベースの上に配置された複数の放熱フィンと、ベース及び複数の放熱フィンを冷却する気流を発生させる冷却ファンと、発光素子を点灯させる光源駆動回路と、光源駆動回路を収納する電源筐体とを有する電源装置と、を備え、電源装置は、複数の放熱フィンの上に配置され、冷却ファンは、電源装置の上に配置され、ベース中心線は、ベースの中心を通りベースに対して垂直な直線であり、電源中心線は、電源筐体の中心を通りベースに対して垂直な直線であり、電源中心線は、ベース中心線に対して位置がずれており、冷却ファンから下に向かって気流が吹き出され、冷却ファンによる気流の一部は、電源筐体の上壁の外面に当たり、ベース中心線に垂直な方向から見て、冷却ファンと電源筐体の上壁との間に、空気が通過可能な空間が形成されているものである。
また、本発明の照明装置は、ベースと、ベースの下に配置された発光素子と、ベースの上に配置された複数の放熱フィンと、複数の放熱フィンの上に配置され、ベース及び複数の放熱フィンを冷却する気流を発生させる冷却ファンと、発光素子を点灯させる光源駆動回路と、光源駆動回路を収納する電源筐体とを有し、冷却ファンの上に位置する電源装置と、電源装置をベースに対して支持する電源サポートと、を備え、電源サポートは、ベースに連結された脚部と、脚部に支持されるとともに電源筐体に固定された梁部とを有し、電源筐体は、電源筐体の内部と外部とを連通させる空気入口及び空気出口を有し、梁部の長手方向に対して垂直な方向から見たときに、電源筐体は、梁部のエッジよりも外側へ突出する突出部を有し、空気入口及び空気出口は、電源筐体の突出部に形成されているものである。
【発明の効果】
【０００８】
本発明によれば、発光素子及び電源装置に対する冷却性能を良好にすることが可能となる。
【図面の簡単な説明】
【０００９】
【図１】実施の形態１による照明装置を斜め上から見た斜視図である。
【図２】実施の形態１による照明装置を斜め下から見た斜視図である。
【図３】実施の形態１による照明装置の断面側面図である。
【図４】実施の形態１による照明装置が備える電源装置の断面図である。
【図５】実施の形態１による照明装置の機能ブロック図である。
【図６】発光素子が発する光束と、光源電流と、光源温度との関係を示す図である。
【図７】実施の形態１による照明装置の変形例が備える電源装置の断面図である。
【図８】実施の形態２による照明装置を斜め上から見た斜視図である。
【図９】実施の形態２による照明装置をベースに対して垂直な方向から見た平面図である。
【図１０】実施の形態３による照明装置を斜め上から見た斜視図である。
【図１１】実施の形態３による照明装置の断面側面図である。
【図１２】実施の形態３による照明装置が備える電源装置の断面図である。
【発明を実施するための形態】
【００１０】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１１】
実施の形態１．
図１は、実施の形態１による照明装置１Ａを斜め上から見た斜視図である。図２は、実施の形態１による照明装置１Ａを斜め下から見た斜視図である。図３は、実施の形態１による照明装置１Ａの断面側面図である。図４は、実施の形態１による照明装置１Ａが備える電源装置７の断面図である。図５は、実施の形態１による照明装置１Ａの機能ブロック図である。これらの図に示す実施の形態１の照明装置１Ａは、天井に設置され、下へ向けて光を照射することで、照明装置１Ａよりも下の空間を照らす用途に好ましく使用できる。以下の説明では、照明装置１Ａが使用されるときの姿勢を基準として、上及び下の方向を特定する。照明装置１Ａは、例えば数千ルーメンから数万ルーメンの光束を発する装置として好適に使用可能である。照明装置１Ａは、特に、工場、倉庫、体育館、競技施設などの高い天井に設置して使用することに適する。
【００１２】
照明装置１Ａは、ベース２、発光素子３、放熱フィン４、冷却ファン６、及び電源装置７を備える。図１及び図３に示すように、ベース２は、全体として実質的に板状の形状を有する。ベース２は、上面及び下面を備える。照明装置１Ａの使用時には、ベース２の上面及び下面は実質的に水平になる。本実施の形態においてベース２に対して垂直な方向から見たときのベース２の形状は、円形である。変形例として、ベース２に対して垂直な方向から見たときのベース２の形状が長方形または正方形でもよい。
【００１３】
ベース２の周縁部にリング１１が取り付けられている。リング１１は、ベース２の周縁部に沿う円環状の形状を有する。
【００１４】
図２に示すように、ベース２の下に複数の発光素子３が配置されている。発光素子３は、照明装置１Ａから下へ向けて光を照射する。本実施の形態における発光素子３は、発光ダイオード（ＬＥＤ）を備える。発光素子３は、ベース２の下面に対して熱伝導可能となるように設けられている。発光素子３で発生した熱は、ベース２へ熱伝導する。発光素子３は、ベース２の下面に対して熱伝導性材料を介して接触してもよい。発光素子３が下面に実装された光源基板（図示省略）の上面が、ベース２の下面に、直接に、または熱伝導性材料を介して、接触してもよい。熱伝導性材料は、例えば、熱伝導性グリス、熱伝導性シート、熱伝導性接着剤、熱伝導性両面粘着テープのいずれかでもよい。発光素子３が実装された光源基板とベース２とが一体的に形成されてもよい。
【００１５】
発光素子３として、例えば、表面実装型ＬＥＤパッケージ、砲弾型ＬＥＤパッケージ、配光レンズ付きＬＥＤパッケージ、チップ・スケール・パッケージのＬＥＤ、チップ・オン・ボード（ＣＯＢ）タイプのＬＥＤパッケージのうちの少なくとも一種を用いてもよい。また、発光素子３は、ＬＥＤを備えるものに限らず、例えば、有機エレクトロルミネセンス（ＥＬ）素子、半導体レーザなどを備えるものでもよい。
【００１６】
ベース２の上に複数の放熱フィン４が配置されている。ベース２及び放熱フィン４は、発光素子３で発生した熱を周囲の空気へ散逸させることにより、発光素子３を冷却する。ベース２及び放熱フィン４は、ヒートシンクに相当する。放熱フィン４は、ベース２の上面から突出する。放熱フィン４は、ベース２の上面に対して垂直である。本実施の形態における放熱フィン４は、板状の形状を有する。発光素子３で発生した熱は、ベース２へ熱伝導し、ベース２から放熱フィン４へさらに熱伝導する。ベース２及び放熱フィン４の表面から周囲の空気へ熱が散逸する。ベース２及び放熱フィン４によってヒートシンクの表面積を大きくすることで、発光素子３で発生した熱を効率良く散逸させることができる。その結果、発光素子３の温度を低くできるので、発光素子３のエネルギー効率すなわち発光効率が向上するとともに、発光素子３の寿命を長くできる。変形例として、ベース２から放熱フィン４へ熱を移動させるヒートパイプが備えられてもよい。
【００１７】
ベース２に対して垂直な方向から見たときに、複数の放熱フィン４は、放射状に配置されている。複数の放熱フィン４のそれぞれは、ベース２の中央領域から径方向外方へ延びる。変形例として、複数の板状の放熱フィン４が互いに平行に配置されてもよい。他の変形例として、放熱フィン４は、ピン形の形状を有するピンフィンでもよい。
【００１８】
ベース２及び放熱フィン４は、軽量かつ熱伝導率の高い金属材料で作られていることが望ましい。そのような金属材料としては、例えば、アルミニウム、アルミニウム系合金、銅系合金、ステンレス鋼などが挙げられる。本実施の形態の放熱フィン４は、シートメタルを折り曲げて作られている。これにより、軽量化が図れる。本実施の形態では、隣り合う二枚の放熱フィン４が、一枚のシートメタルを折り曲げることで作られている。図１に示すように、一枚のシートメタルから形成された隣り合う二枚の放熱フィン４の基端部は、固定部４ａを介して繋がっている。固定部４ａがベース２に固定されている。なお、ベース２に放熱フィン４を固定する方法は、例えば、カシメ固定、ねじ止め、接着、溶接、ろう接など、いかなる方法でもよい。また、ベース２及び放熱フィン４を、例えばダイカスト方式などにより、一体成形してもよい。
【００１９】
複数の放熱フィン４の上に電源装置７が配置されている。電源装置７の上に冷却ファン６が配置されている。冷却ファン６は、ベース２及び放熱フィン４を冷却する気流を発生させる。本実施の形態において冷却ファン６は、プロペラファンと、このプロペラファンを回転させる電動機とを有する軸流ファンである。冷却ファン６の中心線は、ベース２に対して垂直である。冷却ファン６のプロペラファンの回転軸は、ベース２に対して垂直である。冷却ファン６から気流が吹き出される方向は、ベース２に対して垂直である。
【００２０】
図４に示すように、電源装置７は、電子回路基板７ｃ、電源筐体７ｄ、及びヒートシンク７ｍを備える。電源筐体７ｄ内に電子回路基板７ｃが収納されている。電源装置７は、発光素子３を点灯させる電流を供給する光源駆動回路７ａと、冷却ファン６を駆動する電流を供給するファン駆動回路７ｂとを有する。電子回路基板７ｃにより、光源駆動回路７ａ及びファン駆動回路７ｂが構成されている。変形例として、光源駆動回路７ａの電子回路基板と、ファン駆動回路７ｂの電子回路基板とが分離していてもよい。他の変形例として、冷却ファン６の内部にファン駆動回路７ｂを設置してもよい。電源筐体７ｄは、実質的に直方体の形状を有する。
【００２１】
電子回路基板７ｃには、電気部品７ｊが設けられている。照明装置１Ａの点灯時、電気部品７ｊは発熱する。電気部品７ｊは、例えば、半導体素子、リアクトル、抵抗、コンデンサのうちのいずれかでもよい。電源筐体７ｄは、第一側面を形成する第一側壁７ｈと、第一側面と反対側の第二側面を形成する第二側壁７ｉとを有する。電気部品７ｊは、第一側壁７ｈの内面に対して、熱伝導性材料７ｋを介して接触している。電気部品７ｊから発生する熱は、熱伝導性材料７ｋを介して電源筐体７ｄの第一側壁７ｈへ熱伝導する。変形例として、電気部品７ｊが第一側壁７ｈの内面に対して直接接触してもよい。電子回路基板７ｃには、複数の電気部品７ｎがさらに設けられている。各電気部品７ｎは、例えば、半導体素子、リアクトル、抵抗、コンデンサのうちのいずれかでもよい。電源筐体７ｄは、上面を形成する上壁７ｐを有する。
【００２２】
ヒートシンク７ｍは、電源筐体７ｄの第一側壁７ｈの外側に設置されている。図１に示すように、ヒートシンク７ｍは、第一側壁７ｈの外面に対して直接または熱伝導性材料を介して接触する板状のベース部と、このベース部から外側へ突出する複数の放熱フィンとを備える。電源装置７が備える電気部品７ｊ，７ｎから発生する熱は、電源筐体７ｄに伝わり、電源筐体７ｄの表面から周囲の空気へ散逸する。また、電源筐体７ｄに伝わった熱の一部は、さらにヒートシンク７ｍへ熱伝導し、ヒートシンク７ｍの表面から空気へ散逸する。このようにして電源装置７が冷却されることで、電源装置７の効率の低下を防止できる。
【００２３】
図１及び図２に示すように、電源装置７は、電源サポート８により支持されている。電源サポート８は、ベース２に対して電源装置７を支持する。電源サポート８は、脚部８ａ及び梁部８ｂを有する。二つの脚部８ａが、ベース２の中心を介して、互いに反対側の位置に配置されている。各脚部８ａの下端部は、ベース２に連結されている。各脚部８ａは、放熱フィン４よりも外側に配置されている。梁部８ｂは、二つの脚部８ａの上端部の間をつなぐ。梁部８ｂは、二つの脚部８ａにより支持される。梁部８ｂは、ベース２に対して平行に位置する。梁部８ｂに電源筐体７ｄが固定されている。
【００２４】
図３に示すように、電源サポート８の梁部８ｂの下面に対して電源筐体７ｄの上壁７ｐが固定されている。電源筐体７ｄの底面は、放熱フィン４の上端よりも高い位置にある。電源筐体７ｄの底面と、放熱フィン４の上端との間には空間がある。冷却ファン６は、ファンサポート１２により支持されている。ファンサポート１２は、電源サポート８の梁部８ｂに対して冷却ファン６を支持する。ファンサポート１２は、梁部８ｂの上面に対して固定された部分と、冷却ファン６に対して固定された部分とを有する。冷却ファン６は、ファンサポート１２を介して、電源サポート８の梁部８ｂに固定されている。
【００２５】
なお、ベース２、冷却ファン６、電源筐体７ｄ、電源サポート８、リング１１、ファンサポート１２などの各部品を相互に固定する方法は、例えば、ねじ止め、溶接、ろう接、接着、嵌合など、いかなる方法でもよい。
【００２６】
図１に示すように、照明装置１Ａは、本体サポート９を備える。本体サポート９は、照明装置１Ａの本体部を支持する。照明装置１Ａの本体部は、ベース２、発光素子３、複数の放熱フィン４、冷却ファン６、電源装置７、電源サポート８、リング１１、及びファンサポート１２を含む。本体サポート９は、細長い板状の固定部９ａと、固定部９ａの両端から突出する一対の腕部９ｂとを有する。各腕部９ｂは、固定部９ａの長手方向に対して垂直な方向に突出する。各腕部９ｂの先端部分には、円弧状に湾曲した長孔９ｃが形成されている。本体サポート９は、照明装置１Ａの本体部に対して、相対的に回転可能に連結されている。各腕部９ｂは、リング１１に対して相対的に回転可能に連結されている。リング１１は、周方向の二箇所から上方へ突出する突出部１１ａを有する。各腕部９ｂは、リング１１の突出部１１ａに連結されている。ボルト１０は、本体サポート９の腕部９ｂの長孔９ｃを通って、リング１１の突出部１１ａに設けられたネジ孔に挿入している。本体サポート９の回転軸ＲＡの位置は、長孔９ｃの円弧に沿う円の中心の位置である。変形例として、ボルト１０の位置が本体サポート９の回転軸ＲＡの位置であってもよい。回転軸ＲＡは、ベース２に対して平行である。ベース２に対して垂直な方向から見たとき、回転軸ＲＡは、ベース２の中心を通る。
【００２７】
照明装置１Ａが設置されるときには、ボルト１０を締め付けることで、照明装置１Ａの本体部に対して本体サポート９が相対的に回転しないように固定されている。ボルト１０は、照明装置１Ａの本体部に対して本体サポート９が相対的に回転しないように固定可能な固定手段の例である。
【００２８】
本体サポート９の固定部９ａは、建造物の天井または梁などの取付面に対して固定される。固定部９ａには、この固定用のボルトを通すための孔が形成されている。図１から図３の状態では、固定部９ａがベース２に対して平行である。取付面が水平である場合には、この状態で本体サポート９の固定部９ａが取付面に対して固定される。これにより、ベース２が水平となる適正な姿勢で照明装置１Ａが固定される。これに対し、取付面が、水平面に対して傾斜した傾斜面である場合には、その傾斜面に対して本体サポート９の腕部９ｂが垂直になるように、照明装置１Ａの本体部に対する本体サポート９の角度を変えることができる。すなわち、ボルト１０を緩めると、本体サポート９が回転軸ＲＡを中心として回転可能になり、照明装置１Ａの本体部に対して本体サポート９を傾斜させることができる。照明装置１Ａの本体部に対して本体サポート９が傾斜すると、長孔９ｃに対してボルト１０が相対的に移動する。ボルト１０を再び締め付けることで、本体サポート９をその傾斜角度の位置に固定できる。このようにして、取付面が傾斜面である場合には、その傾斜面に対して本体サポート９の腕部９ｂが垂直になるように、固定部９ａを傾斜させることができる。これにより、照明装置１Ａを適正な姿勢で設置できる。
【００２９】
図３に示すように、ベース中心線ＢＣは、ベース２の中心を通りベース２に対して垂直な直線である。電源中心線ＰＣは、電源筐体７ｄの中心を通りベース２に対して垂直な直線である。電源中心線ＰＣは、ベース中心線ＢＣに対して位置がずれている。図３は、ベース中心線ＢＣ及び電源中心線ＰＣを含む平面で切断した断面図である。図３は、本体サポート９の回転軸ＲＡに対して垂直な平面で切断した断面図である。冷却ファン６の中心線は、ベース中心線ＢＣに一致している。
【００３０】
冷却ファン６が運転されると、以下のようになる。冷却ファン６が発生させる気流は、図３中の矢印の付いた曲線によって模式的に示される。冷却ファン６から下に向かって気流が吹き出される。気流は、放熱フィン４の間を通ってベース２の上面に当たる。ベース２に当たった気流は、向きを変える。ベース２に当たった気流は、ベース２の中央領域から、放熱フィン４の間を通ってベース２の外周側へ放射状に流れる。このようにして、冷却ファン６による気流がベース２の上面及び放熱フィン４の表面に沿って流れることで、発光素子３の熱をより効率良く散逸させることができ、発光素子３の温度をより低くすることができる。特に、本実施の形態であれば、放熱フィン４を放射状に配置したことで、冷却ファン６からの気流をベース２の外周側へ効率良く排出することができる。このため、空気が円滑に流れることができ、冷却効率がさらに向上する。
【００３１】
また、冷却ファン６による気流の一部は、電源筐体７ｄの表面に当たる。これにより、電源筐体７ｄの表面からの熱の散逸が促進され、電源装置７を効率良く冷却することができる。その結果、電源装置７の効率の低下をより確実に防止できる。電源中心線ＰＣが、ベース中心線ＢＣに対して位置がずれていることで、以下の効果が得られる。冷却ファン６からベース２及び放熱フィン４へ向かう気流を電源筐体７ｄが妨げにくい配置になる。冷却ファン６により発生する気流の通気抵抗が小さいので、風量を大きくできる。このため、ベース２及び放熱フィン４の冷却効率を高くできる。このように、本実施の形態であれば、冷却ファン６により対流を発生させることで、発熱源となる発光素子３及び電源装置７の双方を効率良く同時に冷却することができる。特に、本実施の形態では、ベース中心線ＢＣが電源筐体７ｄの外側を通っている。これにより、冷却ファン６からベース２及び放熱フィン４へ向かう気流を電源筐体７ｄが妨げることをより確実に防止できる。よって、冷却ファン６により発生する気流の通気抵抗をさらに小さくすることができ、風量をさらに大きくできる。
【００３２】
図４は、図３と同じ位置で切断した断面図である。図４に示すように、電源筐体７ｄの第一側壁７ｈとベース中心線ＢＣとの距離は、第二側壁７ｉとベース中心線ＢＣとの距離よりも小さい。ベース中心線ＢＣに近い位置ほど、冷却ファン６による気流が速くなる傾向がある。よって、第一側壁７ｈは、速い気流に当たるので、冷却されやすい。本実施の形態であれば、電気部品７ｊから発生した熱を、この冷却されやすい第一側壁７ｈへ熱伝導させることができる。よって、電気部品７ｊの温度を低くすることができるので、電源装置７の効率向上に有利である。また、本実施の形態であれば、第一側壁７ｈの外側に設置されたヒートシンク７ｍを備えたことで、ヒートシンク７ｍが速い気流に当たる。このため、電源装置７の温度をさらに低くすることができる。ただし、ヒートシンク７ｍは、無くてもよい。
【００３３】
前述したように、気流は、放熱フィン４の間をベース２の半径方向へ流れて、ベース２の外周側へ排出される。放熱フィン４の外側に構造物があると、この気流が流れにくくなる。よって、電源サポート８の脚部８ａの位置では、放熱フィン４の間から外側へ排出される気流が流れにくくなる可能性がある。
【００３４】
図１に示すように、本体サポート９の各腕部９ｂは、電源サポート８の各脚部８ａの外側に位置する。これにより、以下の効果が得られる。本体サポート９の腕部９ｂが、放熱フィン４の間から外側へ排出される気流の妨げになることを防止できる。仮に、本体サポート９の腕部９ｂが電源サポート８の脚部８ａとは異なる位置に配置されると、本体サポート９の腕部９ｂが、放熱フィン４の間から外側へ排出される気流の妨げになる可能性がある。これに対し、本実施の形態であれば、本体サポート９の腕部９ｂが、放熱フィン４の間から外側へ排出される気流の妨げにならないことで、冷却性能をより向上できる。
【００３５】
変形例として、本実施の形態のような軸流ファンに代えて、遠心ファン、斜流ファン、横流ファンなどを冷却ファン６として用いてもよい。冷却ファン６は、強制空冷方式となるファンであればいかなるものでもよい。
【００３６】
電源筐体７ｄ、電源サポート８、本体サポート９、リング１１、及びファンサポート１２は、高い強度及び熱伝導率を有する金属材料で作られていることが望ましい。当該金属材料としては、例えば、アルミニウム、アルミニウム系合金、ステンレス鋼などが挙げられる。
【００３７】
図１に示すように、照明装置１Ａは、電源装置７から発光素子３へ電力を供給するケーブル１３と、電源装置７から冷却ファン６へ電力を供給するケーブル１４とを備える。ケーブル１３，１４は、防水性を有するように、ゴム系材料等で覆われることが望ましい。電源装置７からケーブル１３を介して発光素子３に電流を流すことで、発光素子３が点灯する。電源装置７からケーブル１４を介して冷却ファン６に電流を流すことで、冷却ファン６が回転する。
【００３８】
図３に示すように、本実施の形態の照明装置１Ａは、透光カバー１５を備える。透光カバー１５は、ベース２の下に配置され、リング１１に固定されている。透光カバー１５は、複数の発光素子３が配置された領域を全体的に覆う。発光素子３からの光は、透光カバー１５を透過して、照明装置１Ａの外部へ照射される。透光カバー１５は、発光素子３を、汚れあるいは水などから確実に保護する。透光カバー１５を設けたことで、発光素子３の劣化あるいは故障を確実に防止することができる。透光カバー１５は、光を正透過させる、透明材料で作られていてもよい。または、透光カバー１５は、光を拡散透過させるものでもよい。透光カバー１５は、例えば、ポリカーボネート樹脂、アクリル系樹脂、ポリスチレン樹脂などの樹脂材料、またはガラス材料で作られていてもよい。透光カバー１５の表面に、経年劣化の抑制に有利な、例えばハードコート処理のようなコーティング処理が施されてもよい。透光カバー１５は、防水性を有してもよい。透光カバー１５とリング１１との接合部に、防水性を有するシール材または接着剤が備えられてもよい。当該シール材または接着剤は、例えば、軟性樹脂材料、シリコーン系などのシーリング材料、ゴム系材料などで構成されてもよい。
【００３９】
図５に示すように、本実施の形態において電源装置７は、光源駆動回路７ａ及びファン駆動回路７ｂに加えて、制御部７ｅをさらに備える。制御部７ｅは、光源駆動回路７ａを介して、光源部１７を駆動する。制御部７ｅは、ファン駆動回路７ｂを介して、冷却ファン６を駆動する。制御部７ｅは、プロセッサ７ｆ及びメモリ７ｇを備える。典型的には、制御部７ｅは、マイクロコンピュータを含んだ構成を有する。制御部７ｅは、電源筐体７ｄ内に設けられている。制御部７ｅは、電子回路基板７ｃに設けられている。変形例として、制御部７ｅを構成する電子回路基板と、光源駆動回路７ａ及びファン駆動回路７ｂを構成する電子回路基板とが分離していてもよい。
【００４０】
光源部１７は、複数の発光素子３により構成される。図５の例では、光源部１７において複数の発光素子３が直列方式で接続されている。この例に代えて、光源部１７における複数の発光素子３は、並列方式で接続されていてもよいし、直並列方式で接続されていてもよい。
【００４１】
光源駆動回路７ａは、光源部１７の発光素子３に電流を流す。光源駆動回路７ａは、照明装置１Ａの外部の交流電源１００から供給される交流電力を直流電力に変換する電源回路を備える。電源回路は、例えば、半導体スイッチ素子を用いたスイッチング電源を備えるものでもよい。交流電源１００は、典型的には商用電源である。光源駆動回路７ａは、制御部７ｅからの指令に応じて、発光素子３に流れる電流を調整することで、発光素子３から発せられる光束を調整可能である。これにより、照明装置１Ａによる照度及び輝度を調整可能である。
【００４２】
光源部１７の発光素子３の温度に相関する温度を以下「光源温度」と称する。光源温度センサ１８は、光源温度を検出する。光源温度センサ１８は、光源温度検出手段の例である。ベース２または放熱フィン４の温度は、発光素子３の温度に相関する。よって、光源温度センサ１８をベース２または放熱フィン４に取り付けることで光源温度を検出できる。あるいは発光素子３自体に光源温度センサ１８を取り付けてもよい。光源温度センサ１８により検出された光源温度の情報は、制御部７ｅに入力される。制御部７ｅは、光源温度センサ１８により検出された光源温度の情報に基づき、光源駆動回路７ａ及びファン駆動回路７ｂを個別に制御可能である。
【００４３】
ファン駆動回路７ｂは、制御部７ｅからの指令に応じて、冷却ファン６の電動機に電力を供給する。ファン駆動回路７ｂは、冷却ファン６の電動機に供給する電力の、電流、電圧及び周波数のうちの少なくとも一つを調整することで、冷却ファン６の回転速度を調整可能である。冷却ファン６の回転速度を以下「ファン速度」と称する。ファン速度を検出するファン速度センサ１９が冷却ファン６に備えられている。ファン速度センサ１９は、ファン速度検出手段の例である。
【００４４】
以下の説明では、光源部１７の発光素子３に供給される直流電流の電流値を「光源電流」と称する。ファン速度センサ１９により検出されたファン速度の情報は、ファン駆動回路７ｂを介して、制御部７ｅに入力される。制御部７ｅは、ファン速度センサ１９により検出されたファン速度の情報に基づき、光源駆動回路７ａを制御することにより、光源電流を制御することができる。制御部７ｅは、光源温度センサ１８により検出された光源温度の情報に基づき、光源駆動回路７ａを制御することにより、光源電流を制御することができる。さらに、制御部７ｅは、当該光源温度の情報に基づき、ファン駆動回路７ｂを制御することにより、冷却ファン６のファン速度を制御することができる。
【００４５】
図６は、発光素子３が発する光束と、光源電流と、光源温度との関係を示す図である。図６に示すように、発光素子３は、以下のような特性を有する。光源電流を増加させると光束が増加する。光源電流が等しい場合には、光源温度が高い条件よりも、光源温度が低い条件の方が、光束が大きくなる。所定の光束を得るためには、光源電流を制御すると共に、光源温度を制御する必要がある。
【００４６】
本実施の形態では、光源温度の情報に基づき、制御部７ｅが光源駆動回路７ａを制御することで、光源電流と光源温度の両方を制御することが可能である。以下、制御の例について説明する。
【００４７】
（例１）前述の通り、所定の光束を得るためには、光源電流と光源温度の両方を制御する必要がある。例えば、光源電流が一定となるように光源駆動回路７ａを制御した場合には、光源温度の変化に応じて光束が変化するため、光源温度を一定にする必要がある。この場合、制御部７ｅは、光源温度センサ１８により検出される光源温度が一定となるように、ファン駆動回路７ｂにより冷却ファン６のファン速度を制御することで、光源温度を一定にすることができる。つまり、光源電流が一定かつ光源温度が一定となるように、制御部７ｅが光源駆動回路７ａ及びファン駆動回路７ｂを制御することにより、一定の光束が得られる照明装置１Ａを提供することができる。一定の光束を得ることで、一定の照度及び輝度が得られる。変形例として、制御部７ｅは、光源温度センサ１８により検出される光源温度が一定となるように、冷却ファン６のオン／オフを制御してもよい。
【００４８】
（例２）別の例として、光源温度が所定温度以下の範囲で照明装置１Ａが点灯している場合を想定する。この所定温度とは、発光素子３の使用可能な温度範囲内であると共に、発光素子３をこの所定温度で長時間点灯させた場合に、所期の光束が得られ、所期の寿命時間を達成できるような温度である。光源温度が所定温度以下の範囲で照明装置１Ａが点灯している場合には、光源温度が低いほど光源電流を低くし、光源温度が高いほど光源電流を高くするように、制御部７ｅが光源駆動回路７ａ及びファン駆動回路７ｂを制御することにより、一定の光束が得られる。一定の光束を得ることで、一定の照度及び輝度が得られる。この例２によれば、冷却ファン６の運転時間及びファン速度の少なくとも一方を低減できる。その結果、冷却ファン６の寿命を延長することができ、照明装置１Ａの信頼性をさらに向上できる。
【００４９】
制御部７ｅがファン駆動回路７ｂを介して冷却ファン６を運転するように指令している状態で、ファン速度センサ１９により検出されたファン速度がゼロまたは非常に低速である場合には、例えば経年劣化または寿命により、冷却ファン６が故障していると考えられる。このようにして、制御部７ｅは、冷却ファン６の故障、経年劣化、あるいは寿命の到来のような、冷却ファン６の異常を検出することが可能である。
【００５０】
冷却ファン６の異常が検出された場合には、制御部７ｅは、冷却ファン６の異常がない場合よりも光源電流が低くなるように光源駆動回路７ａを制御してもよい。冷却ファン６の異常が検出された場合には、制御部７ｅは、光源温度センサ１８で検出される光源温度が所定温度以下になるように、光源電流を低減させてもよい。上記のようにすることで、冷却ファン６の異常が発生した場合に、光源温度が大幅に上昇することを確実に防止できるので、発光素子３の熱劣化を確実に防止できる。
【００５１】
制御部７ｅは、端末装置６０との間でデータ通信が可能となるように構成されていてもよい。端末装置６０は、照明装置１Ａをユーザーが遠隔操作可能となるように構成されている。制御部７ｅと端末装置６０との間の通信方式は、有線通信でもよいし無線通信でもよい。端末装置６０は、ユーザーが操作するための操作部６１と、文字、図形、キャラクタ等を表示することで情報を報知するディスプレイ６２とを備える。端末装置６０は、ユーザー操作に応じて、例えば、照明装置１Ａの点灯、消灯、調光などに関する指令を制御部７ｅに送信可能である。例えばタッチスクリーンにより操作部６１及びディスプレイ６２が一体に構成されてもよい。ディスプレイ６２は、報知手段の例である。端末装置６０は、ディスプレイ６２に加えて、またはディスプレイ６２に代えて、例えば音声出力装置などの他の報知手段を備えてもよい。端末装置６０は、部屋の壁などに固定されるものでもよい。端末装置６０は、持ち運び可能な携帯端末でもよい。端末装置６０と制御部７ｅとが直接的に通信可能でもよい。端末装置６０と制御部７ｅとが、例えば照明制御システムのコントローラのような他の機器またはネットワークを経由して、間接的に通信可能でもよい。
【００５２】
照明装置１Ａが使用される環境または照明装置１Ａからの光を受ける環境に関する情報を検出する環境センサ（図示省略）から受け取った情報に基づいて制御部７ｅが光源駆動回路７ａ及びファン駆動回路７ｂを制御してもよい。すなわち、環境センサで検出された情報に基づいて、制御部７ｅが、発光素子３の点灯、消灯、調光などを制御したり、冷却ファン６の動作を制御したりしてもよい。環境センサは、例えば、環境の気温を検出する気温センサ、環境の明るさを検出する明るさセンサ、環境にいる人を検出する人感センサのうちの少なくとも一つでもよい。例えば、以下のようにしてもよい。
【００５３】
環境センサとしての気温センサにより気温を検出し、気温が比較的高い場合には、気温が比較的低い場合に比べて、冷却ファン６のファン速度が高くなるように制御部７ｅが制御してもよい。環境センサとしての明るさセンサにより環境の明るさを検出し、環境の明るさが一定になるように照明装置１Ａからの光出力を制御部７ｅが増減してもよい。環境センサとしての人感センサが人を検出した場合に、制御部７ｅが照明装置１Ａを点灯させてもよい。人感センサが人を検出していない場合に、制御部７ｅが照明装置１Ａを減光または消灯させてもよい。
【００５４】
図７は、実施の形態１による照明装置１Ａの変形例が備える電源装置７Ａの断面図である。照明装置１Ａは、図３に示す電源装置７に代えて、図７に示す電源装置７Ａを備えてもよい。以下、この電源装置７Ａを備える変形例について、前述した構成との相違点を説明する。図７は、図３と同じ位置での断面図である。図７に示すように、電源装置７Ａは、ヒートシンク７ｍを備えていない。電源装置７Ａは、電源筐体７ｄの内部のレイアウトが電源装置７とは異なる。電源装置７Ａの電源筐体７ｄの上壁７ｐの内面に対して、発熱する電気部品７ｊが熱伝導性材料７ｋを介して接触している。電気部品７ｊから発生する熱は、熱伝導性材料７ｋを介して電源筐体７ｄの上壁７ｐへ熱伝導する。変形例として、電気部品７ｊが上壁７ｐの内面に対して直接接触してもよい。
【００５５】
図３に示すように、冷却ファン６による気流の一部は、電源筐体７ｄの上壁７ｐの外面に当たる。このため、上壁７ｐは、冷却されやすい。図７の変形例であれば、電気部品７ｊから発生した熱を、この冷却されやすい上壁７ｐに熱伝導させることができる。よって、電気部品７ｊの温度を低くすることができるので、電源装置７の効率向上に有利である。
【００５６】
図３に示すように、本実施の形態では、ベース中心線ＢＣに垂直な方向から見て、冷却ファン６と電源筐体７ｄとの間に、空気が通過可能な空間が形成されている。変形例として、ベース中心線ＢＣに垂直な方向から見たときに、冷却ファン６と電源筐体７ｄとが隙間無く接するように配置してもよい。変形例として、照明装置１Ａは、複数の冷却ファン６を備えてもよい。その場合に、各冷却ファン６の中心の位置が、ベース中心線ＢＣを中心として回転対称となるように配置されてもよい。
【００５７】
実施の形態２．
次に、図８及び図９を参照して、実施の形態２について説明するが、前述した実施の形態１との相違点を中心に説明し、同一部分または相当部分については説明を簡略化または省略する。図８は、実施の形態２による照明装置１Ｂを斜め上から見た斜視図である。図９は、実施の形態２による照明装置１Ｂをベース２に対して垂直な方向から見た平面図である。なお、図９では、見やすくするために、本体サポート９の腕部９ｂを途中で切断し、固定部９ａを除去した状態を示す。また、図９では、電源筐体７ｄの位置を分かりやすくするために、電源筐体７ｄの外縁を太い点線で表している。
【００５８】
図８に示すように、実施の形態２の照明装置１Ｂは、実施の形態１の照明装置１Ａと比べて、電源装置７、電源サポート８、及びファンサポート１２の配置が異なる。照明装置１Ｂの電源装置７、電源サポート８、及びファンサポート１２は、照明装置１Ａと比べて、ベース中心線ＢＣを中心として９０度回転移動した位置にある。
【００５９】
図９に示すように、ベース２に対して垂直な方向から見たときには、以下のようになる。本体サポート９の回転軸ＲＡは、ベース２の中心を通る。電源筐体７ｄの中心は、回転軸ＲＡ上にある。電源筐体７ｄの中心と回転軸ＲＡとの距離は、実質的にゼロである。ベース２の中心と電源筐体７ｄの中心との間の、回転軸ＲＡに平行な方向についての距離は、ベース中心線ＢＣと電源中心線ＰＣとの距離に等しい。
【００６０】
電源中心線ＰＣがベース中心線ＢＣに対して位置がずれているため、照明装置１Ｂの重量バランスは、電源装置７の側に偏ったものとなる。照明装置１Ｂが本体サポート９により建造物に取り付けられた状態では、照明装置１Ｂの本体部は、本体サポート９に対して回転しないように、ボルト１０で固定される。しかしながら、万一にボルト１０が緩むと、照明装置１Ｂの本体部が回転軸ＲＡを中心に回転し、照明装置１Ｂの本体部が傾く可能性がある。
【００６１】
電源筐体７ｄの中心の位置は、電源装置７の重心の位置にほぼ等しいと考えられる。よって、電源装置７の重量は、電源筐体７ｄの中心に作用するとみなせる。本実施の形態であれば、ベース２に対して垂直な方向から見たときに、電源筐体７ｄの中心が回転軸ＲＡ上にあることで、以下の効果が得られる。電源装置７の重量は、回転軸ＲＡの周りの回転モーメントを発生させにくい。このため、万一にボルト１０が緩んだときでも、照明装置１Ｂの本体部が回転軸ＲＡを中心に回転することがなく、照明装置１Ｂの本体部が傾くことを確実に防止できる。
【００６２】
変形例として、ベース２に対して垂直な方向から見たときに、ベース２の中心と電源筐体７ｄの中心との間の、回転軸ＲＡに平行な方向についての距離が、電源筐体７ｄの中心と回転軸ＲＡとの間の距離よりも長ければ、上記の効果に類似した効果が得られる。
【００６３】
図９に示すように、ベース２に対して垂直な方向から見たときに、ベース２の外縁の内側に電源筐体７ｄの全体が位置する。これにより、以下の効果が得られる。照明装置１Ｂの実質的な占有空間を削減できるので、省スペースで照明装置１Ｂを配置できる。照明装置１Ｂの重量バランスの悪化を防止できるので、地震のときの照明装置１Ｂの振幅を低減でき、耐震性をさらに向上できる。このような構成及び効果は、実施の形態１、及び後述する実施の形態３にも共通する。
【００６４】
ベース２に対して垂直な方向から見たときに、電源筐体７ｄは、ベース２の中心と電源筐体７ｄの中心とを結ぶ方向に対して垂直な方向を長手方向とする形状を有する。これにより、以下の効果が得られる。電源筐体７ｄがベース２の中央領域の上に覆いかぶさることを防止しつつ、電源筐体７ｄの容積を大きくできる。冷却ファン６からベース２及び放熱フィン４へ向かう気流を電源筐体７ｄが妨げることをより確実に防止できる。このような構成及び効果は、実施の形態１にも共通する。
【００６５】
ベース２に対して垂直な方向から見たときの冷却ファン６の占有領域は、第一領域６ａ及び第二領域６ｂに分かれる。第一領域６ａは、ベース２に対して垂直な方向から見たときに電源筐体７ｄと重なる領域である。図９では、理解を容易にするための便宜上、第一領域６ａにハッチングを付している。第二領域６ｂは、ベース２に対して垂直な方向から見たときに電源筐体７ｄと重ならない領域である。図９において、第二領域６ｂは、冷却ファン６の占有領域のうち、ハッチングを付していない領域に相当する。第二領域６ｂの面積は、第一領域６ａの面積よりも大きい。このような構成によれば、以下の効果が得られる。第一領域６ａの割合が大きいほど、電源筐体７ｄに当たる気流が増加し、ベース２及び放熱フィン４に当たる気流が減少する。逆に、第二領域６ｂの割合が大きいほど、ベース２及び放熱フィン４に当たる気流が増加し、電源筐体７ｄに当たる気流が減少する。第二領域６ｂの面積を第一領域６ａの面積よりも大きくすることで、ベース２及び放熱フィン４に当たる気流を十分に多くすることができる。また、冷却ファン６と電源筐体７ｄとが重なる第一領域６ａが存在することで、電源筐体７ｄにも気流を確実に当てることができる。以上のような構成及び効果は、実施の形態１にも共通する。
【００６６】
実施の形態３．
次に、図１０から図１２を参照して、実施の形態３について説明するが、前述した実施の形態との相違点を中心に説明し、同一部分または相当部分については説明を簡略化または省略する。図１０は、実施の形態３による照明装置１Ｃを斜め上から見た斜視図である。図１１は、実施の形態３による照明装置１Ｃの断面側面図である。図１１は、実施の形態３による照明装置１Ｃが備える電源装置７Ｃの断面図である。
【００６７】
照明装置１Ｃは、ベース２、発光素子３、複数の放熱フィン４、冷却ファン６、電源装置７Ｃ、及び電源サポート２０を備える。図１０及び図１１に示すように、冷却ファン６は、複数の放熱フィン４の上に配置されている。冷却ファン６の上に電源装置７Ｃが位置する。電源装置７Ｃは、電源筐体７ｑと、電源筐体７ｑ内に収納された電子回路基板７ｃとを備える。
【００６８】
図１０に示すように、電源装置７Ｃは、電源サポート２０により支持されている。電源サポート２０は、ベース２に対して電源装置７Ｃを支持する。電源サポート２０は、脚部２０ａ及び梁部２０ｂを有する。二つの脚部２０ａが、ベース２の中心を介して、互いに反対側の位置に配置されている。各脚部２０ａの下端部は、ベース２に連結されている。各脚部２０ａは、放熱フィン４よりも外側に配置されている。梁部２０ｂは、二つの脚部２０ａの上端部の間をつなぐ。梁部２０ｂは、二つの脚部２０ａにより支持される。梁部２０ｂは、ベース２に対して平行に位置する。梁部２０ｂの上面に対して電源筐体７ｑの底部が固定されている。電源筐体７ｑの長手方向は、電源サポート２０の梁部２０ｂの長手方向に平行である。本体サポート９の各腕部９ｂは、電源サポート２０の各脚部２０ａの外側に位置する。これにより、実施の形態１と同様の効果が得られる。
【００６９】
冷却ファン６は、複数の支柱２１により支持されている。各支柱２１は、ベース２に連結された下端部と、冷却ファン６に連結された上端部とを有する。各支柱２１は、放熱フィン４同士の間に配置されている。ベース２に対して垂直な方向から見たとき、正方形の冷却ファン６の四隅にそれぞれ支柱２１が配置されている。変形例として、支柱２１に代えて、電源サポート２０が冷却ファン６を支持するように構成してもよい。
【００７０】
ベース２に対して垂直な方向から見たときには、以下のようになる。冷却ファン６の中心の位置は、ベース２の中心に一致する。電源筐体７ｄの中心の位置は、ベース２の中心に一致する。変形例として、ベース２に対して垂直な方向から見たときに、電源筐体７ｄの中心の位置が、ベース２の中心とは異なる位置にあってもよい。
【００７１】
図１１は、ベース２の中心を通り、ベース２に垂直な平面で切断した断面図である。図１１は、電源サポート２０の梁部２０ｂの長手方向に対して垂直な平面で切断した断面図である。図１１に示すように、冷却ファン６の底面は、放熱フィン４の上端よりも高い位置にある。冷却ファン６の底面と、放熱フィン４の上端との間には空間がある。図１２は、図１１と同じ位置で切断した断面図である。
【００７２】
図１２に示すように、電源サポート２０の梁部２０ｂの長手方向に対して垂直な方向から見たときには、以下のようになる。電源筐体７ｑは、梁部２０ｂのエッジ２０ｃよりも外側へ突出する突出部７ｒを有する。電源筐体７ｑは、梁部２０ｂを介して互いに反対側にある二つの突出部７ｒを有する。電源筐体７ｑは、幅Ｌ１を有する。幅Ｌ１は、梁部２０ｂの長手方向に対して垂直、かつベース２に平行な方向についての電源筐体７ｑの寸法である。梁部２０ｂは、幅Ｌ２を有する。幅Ｌ２は、梁部２０ｂの長手方向に対して垂直、かつベース２に平行な方向についての梁部２０ｂの寸法である。電源筐体７ｑの幅Ｌ１は、梁部２０ｂの幅Ｌ２よりも大きい。
【００７３】
電源筐体７ｑは、空気入口７ｓ及び空気出口７ｔを有する。空気入口７ｓ及び空気出口７ｔは、電源筐体７ｑの内部と外部とを連通させる。空気入口７ｓ及び空気出口７ｔは、電源筐体７ｑを形成する壁に設けられた開口である。空気入口７ｓ及び空気出口７ｔは、電源筐体７ｑの突出部７ｒに形成されている。電源筐体７ｑは、電源筐体７ｑの上面に形成された空気入口７ｓと、電源筐体７ｑの側面に形成された空気入口７ｓとを有する。空気出口７ｔは、電源筐体７ｑの底面のうち、梁部２０ｂに覆われない部分に形成されている。ベース２に垂直な方向から見たときに、電源筐体７ｑの上面に形成された空気入口７ｓの位置は、少なくとも部分的に、電源筐体７ｑの底面に形成された空気出口７ｔの位置に重なる。
【００７４】
電源筐体７ｑの内部には、電気部品７ｊ，７ｎを有する電子回路基板７ｃと、ヒートシンク７ｕとが配置されている。ヒートシンク７ｕは、電気部品７ｊに対して熱伝導性材料７ｋを介して接触する板状のベース部と、このベース部から外側へ突出する複数の放熱フィンとを備える。変形例として、電気部品７ｊがヒートシンク７ｕのベース部に対して直接接触してもよい。
【００７５】
冷却ファン６が運転されると、以下のようになる。冷却ファン６が発生させる気流は、図１１中の矢印の付いた曲線によって模式的に示される。冷却ファン６から下に向かって吹き出される気流により、ベース２及び放熱フィン４が冷却される。冷却ファン６が上から空気を吸い込むことで、空気入口７ｓ及び空気出口７ｔを通って空気が電源筐体７ｑの内部を流れる。空気入口７ｓから電源筐体７ｑ内に空気が流入する。電源筐体７ｑの内部を流れた空気は、空気出口７ｔから電源筐体７ｑ外へ排出される。空気出口７ｔから排出された空気は、冷却ファン６に吸入される。
【００７６】
本実施の形態であれば、以下の効果が得られる。空気が電源筐体７ｑの内部を流れることで、電源筐体７ｑの内部にある電子回路基板７ｃの電気部品７ｊ，７ｎを効率良く冷却することができる。電源筐体７ｑの空気出口７ｔから排出された空気が冷却ファン６に流入可能であるので、冷却ファン６により発生する気流の通気抵抗を軽減できる。このため、ベース２及び放熱フィン４への風量が多くなり、ベース２及び放熱フィン４を効率良く冷却できる。比較例として、電源筐体７ｑが空気入口７ｓ及び空気出口７ｔを有しないと仮定すると、冷却ファン６の吸入口が電源筐体７ｑの底面に覆われることで、冷却ファン６により発生する気流の通気抵抗が大きくなりやすい。
【００７７】
本実施の形態では、ベース２に垂直な方向から見たときに、空気出口７ｔの少なくとも一部は、冷却ファン６に重なるように位置する。これにより、以下の効果が得られる。電源筐体７ｑの空気出口７ｔから排出された空気がより円滑に冷却ファン６に流入できる。その結果、電源筐体７ｑの内部を通る空気の流量が多くなる。また、冷却ファン６により発生する気流の通気抵抗をさらに軽減できる。
【００７８】
図１１に示すように、本実施の形態では、ベース２に平行な方向から見て、冷却ファン６と電源筐体７ｑとの間に、空気が通過可能な空間が形成されている。この空間からの空気は、電源筐体７ｑの内部を通らずに冷却ファン６に吸入される。当該空間を設けたことで、冷却ファン６により発生する気流の通気抵抗がさらに軽減され、冷却ファン６による風量をさらに多くできる。
【００７９】
図１０に示すように、空気入口７ｓ及び空気出口７ｔのそれぞれは、梁部２０ｂの長手方向に沿って延びる細長い形状を有する。これにより、以下の効果が得られる。大きい異物が空気入口７ｓ及び空気出口７ｔから電源筐体７ｑの内部に侵入することを確実に防止しつつ、電源筐体７ｑの内部を通る空気の流量をさらに多くすることができる。
【００８０】
本実施の形態であれば、電源装置７Ｃがヒートシンク７ｕを備えたことで、電気部品７ｊをさらに効率良く冷却できる。空気入口７ｓから電源筐体７ｑ内に流入した空気は、ヒートシンク７ｕの表面に沿って流れた後、空気出口７ｔから電源筐体７ｑ外へ排出される。
【符号の説明】
【００８１】
１Ａ，１Ｂ，１Ｃ  照明装置、  ２  ベース、  ３  発光素子、  ４  放熱フィン、  ６  冷却ファン、  ７，７Ａ，７Ｃ  電源装置、  ７ａ  光源駆動回路、  ７ｂ  ファン駆動回路、  ７ｃ  電子回路基板、  ７ｄ  電源筐体、  ７ｅ  制御部、  ７ｆ  プロセッサ、  ７ｇ  メモリ、  ７ｈ  第一側壁、  ７ｉ  第二側壁、  ７ｊ，７ｎ  電気部品、  ７ｋ  熱伝導性材料、  ７ｍ  ヒートシンク、  ７ｐ  上壁、  ７ｑ  電源筐体、  ７ｒ  突出部、  ７ｓ  空気入口、  ７ｔ  空気出口、  ７ｕ  ヒートシンク、  ８  電源サポート、  ８ａ  脚部、  ８ｂ  梁部、  ９  本体サポート、  ９ａ  固定部、  ９ｂ  腕部、  ９ｃ  長孔、  １０  ボルト、  １１  リング、  １２  ファンサポート、  １３，１４  ケーブル、  １５  透光カバー、  １７  光源部、  １８  光源温度センサ、  １９  ファン速度センサ、  ２０  電源サポート、  ２０ａ  脚部、  ２０ｂ  梁部、  ２０ｃ  エッジ、  ２１  支柱、  ６０  端末装置、  ６１  操作部、  ６２  ディスプレイ、  １００  交流電源
【図１】
0006784333.tif 000002
【図２】
0006784333.tif 000003
【図３】
0006784333.tif 000004
【図４】
0006784333.tif 000005
【図５】
0006784333.tif 000006
【図６】
0006784333.tif 000007
【図７】
0006784333.tif 000008
【図８】
0006784333.tif 000009
【図９】
0006784333.tif 000010
【図１０】
0006784333.tif 000011
【図１１】
0006784333.tif 000012
【図１２】
0006784333.tif 000013